【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
コンテンツの再生と並行して前記コンテンツの記録を実行する記録再生装置において、
記憶媒体から読み出したコンテンツに圧縮処理を施す圧縮手段と、
該圧縮手段で圧縮された圧縮データを記録手段へ書き込む書込手段と、
圧縮データを復元する復元手段と、
前記圧縮手段で圧縮された圧縮データを前記復元手段で復元させて再生させる第１の再
生制御手段と、
前記記録手段に記憶されている圧縮データを前記復元手段で復元させて再生させる第２
の再生制御手段と、
所望の処理を要求するための入力手段とを備え、
該入力手段を介して要求された再生内容に基づいて、前記第１の再生制御手段又は前記
第２の再生制御手段によるコンテンツの再生を行うように構成されていることを特徴とす
る記録再生装置。
【請求項２】
再生に用いられる圧縮データを一時的に記憶するための一時記憶手段を備え、
前記第１の再生制御手段が、前記圧縮手段で圧縮された圧縮データを前記一時記憶手段
に記憶させ、該一時記憶手段に記憶された圧縮データを前記復元手段で復元させて再生さ
せるものであり、
前記第２の再生制御手段が、前記記録手段に記憶されている圧縮データを前記一時記憶
手段に記憶させ、該一時記憶手段に記憶された圧縮データを前記復元手段で復元させて再
生させるものであることを特徴とする請求項１記載の記録再生装置。
【請求項３】
コンテンツ再生中に、前記入力手段を介して前記コンテンツの記録が要求されているか
否かを判断する記録要求判断手段と、
該記録要求判断手段により記録が要求されなかったと判断されたコンテンツに対応する
圧縮データを、前記記録手段から削除又は読出不可にする記憶制御手段とを備えているこ
とを特徴とする請求項１又は請求項２記載の記録再生装置。
【請求項４】
コンテンツの再生と並行して前記コンテンツの記録を実行する記録再生装置において、
記憶媒体から読み出したコンテンツに圧縮処理を施す圧縮手段と、
圧縮データを復元する復元手段と、
前記圧縮手段で圧縮された圧縮データを前記復元手段で復元させて再生させる再生制御
手段と、
前記記憶媒体に記憶されているコンテンツ全部の圧縮データを一時的に記憶するための
一時記憶手段と、
所望の処理を要求するための入力手段と、
該入力手段を介して記録が要求されたコンテンツに対応する圧縮データを、前記一時記
憶手段から読み出して記録手段へ書き込む書込手段とを備えていることを特徴とする記録
再生装置。
【請求項５】
コンテンツの再生と並行して前記コンテンツの記録を実行する記録再生装置において、
記憶媒体から読み出したコンテンツに圧縮処理を施す圧縮手段と、
圧縮データを復元する復元手段と、
前記圧縮手段で圧縮された圧縮データを前記復元手段で復元させて再生させる再生制御
手段と、
前記記憶媒体に記憶されているコンテンツ全部の圧縮データを記録手段へ書き込む書込
手段と、
所望の処理を要求するための入力手段と、
該入力手段を介して記録が要求されなかったコンテンツに対応する圧縮データを、前記
記録手段から削除又は読出不可にする記憶制御手段とを備えていることを特徴とする記録
再生装置。
【請求項６】
コンテンツの再生と並行して前記コンテンツの記録を実行する記録再生装置において、
記憶媒体から読み出したコンテンツを記録手段へ書き込む第１の書込手段と、
前記記録手段に記憶されているコンテンツに圧縮処理を施す圧縮手段と、
該圧縮手段で圧縮された圧縮データを前記記録手段へ書き込む第２の書込手段と、
圧縮データを復元する復元手段と、
前記記録手段に記憶されている圧縮データを前記復元手段で復元させて再生させる再生
制御手段とを備えていることを特徴とする記録再生装置。
【請求項７】
コンテンツの再生と並行して前記コンテンツの記録を実行する記録再生装置において、
記憶媒体から読み出したコンテンツに圧縮処理を施す圧縮手段と、
該圧縮手段で圧縮された圧縮データを記録手段へ書き込む書込手段と、
圧縮データを一時的に記憶するための一時記憶手段と、
前記記録手段に記憶されている圧縮データを前記一時記憶手段に記憶させる記憶制御手
段と、
圧縮データを復元する復元手段と、
前記一時記憶手段に記憶された圧縮データを前記復元手段で復元させて再生させる再生
制御手段とを備えると共に、
前記記憶制御手段が、前記一時記憶手段に記憶される圧縮データの量を、記憶開始から
それ以降にかけて増やしていくことを特徴とする記録再生装置。
【手続補正２】
【補正対象書類名】明細書
【補正対象項目名】００１４
【補正方法】変更
【補正の内容】
【００１４】
上記記録再生装置（２）によれば、前記記憶用記録手段に記録されている圧縮データを
用いて、コンテンツの再生を行うことができる。例えば、再生用の楽曲データを音楽ＣＤ
から読み出さなくても、楽曲再生を実現することができる。従って、楽曲ＣＤからのダビ
ング用の楽曲データの読み出しを中断しなくて良い。これにより、前記記憶用記録手段へ
のコンテンツのダビングを効率よく行うことができる。
【手続補正３】
【補正対象書類名】明細書
【補正対象項目名】００３７
【補正方法】変更
【補正の内容】
【００３７】
また、本発明に係る記録再生装置（１８）は、音声データなどのコンテンツを再生しな
がら、並行して前記コンテンツのダビングを実行する記録再生装置において、ダビング対
象となっている記憶媒体から読み出したコンテンツに圧縮処理を施す圧縮手段と、前記圧
縮処理により得られた圧縮データを復元手段で復元させ、復元したデータを再生させる第
１の再生制御手段と、前記記憶媒体に記憶されているコンテンツ全部の圧縮データを一時
記憶領域に記憶させる第５の記憶手段と、使用者が操作し得る入力手段から得られる情報
に基づいて、前記使用者がダビングを要求しているコンテンツを選択する第１のコンテン
ツ選択手段と、該第１のコンテンツ選択手段による選択結果に基づいて、前記使用者がダ
ビングを要求しているコンテンツに対応する圧縮データを、前記一時記憶領域から転送す
ることによって、記憶用記録手段へ書き込む第３の書込手段とを備えていることを特徴と
している。
【手続補正４】
【補正対象書類名】明細書
【補正対象項目名】００３９
【補正方法】変更
【補正の内容】
【００３９】
また、本発明に係る記録再生装置（１９）は、音声データなどのコンテンツを再生しな
がら、並行して前記コンテンツのダビングを実行する記録再生装置において、ダビング対
象となっている記憶媒体から読み出したコンテンツに圧縮処理を施す圧縮手段と、前記圧
縮処理により得られた圧縮データを復元手段で復元させ、復元したデータを再生させる第
１の再生制御手段と、前記記憶媒体に記憶されているコンテンツ全部の圧縮データを記憶
用記録手段へ書き込む第４の書込手段と、使用者が操作し得る入力手段から得られる情報
に基づいて、前記使用者がダビングを要求しているコンテンツを選択する第２のコンテン
ツ選択手段と、該第２のコンテンツ選択手段による選択結果に基づいて、ダビングが要求
されていないコンテンツに対応する圧縮データを、前記記憶用記録手段から削除、又は読
出不可にする第２の削除手段とを備えていることを特徴としている。
【手続補正５】
【補正対象書類名】明細書
【補正対象項目名】００４１
【補正方法】変更
【補正の内容】
【００４１】
また、本発明に係る記録再生装置（２０）は、音声データなどのコンテンツを再生する
機能と、前記コンテンツのダビングを実行する機能とを有した記録再生装置において、ダ
ビング対象となっている記憶媒体から読み出したコンテンツに圧縮処理を施す圧縮手段と
、前記圧縮処理により得られた圧縮データを復元手段で復元させ、復元したデータを再生
させる第１の再生制御手段と、前記圧縮処理により得られた圧縮データを記憶用記録手段
へ書き込む第５の書込手段と、使用者が操作し得る入力手段から得られる情報に基づいて
、前記使用者がダビングを要求していないコンテンツを選択する第３のコンテンツ選択手
段と、該第３のコンテンツ選択手段による選択結果に基づいて、ダビングが要求されてい
ないコンテンツに対応する圧縮データを、前記記憶用記録手段からの読出を不可にする読
出不可手段とを備えていることを特徴としている。
上記記録再生装置（２０）によれば、使用者がダビングを要求しないものについても、
削除するのではなく、読み出しを不可にするだけであるので、もし仮に、使用者が誤った
操作を行ったとしても、復旧させることができる。
【手続補正６】
【補正対象書類名】明細書
【補正対象項目名】００５５
【補正方法】変更
【補正の内容】
【００５５】
また、本発明に係る記録再生装置（３０）は、上記記録再生装置（２９）において、前
記第８の記憶手段が、前記一時記憶領域に記憶させる圧縮データ量を徐々に増やしていく
ものであることを特徴としている。
上記記録再生装置（３０）によれば、前記一時記憶領域に記憶させる圧縮データ量が徐
々に増やされるので、再生レスポンスの向上を図ると共に、その後の、早送りなどの処理
についても適切に対応することができる。
また、本発明に係る記録再生装置（３１）は、コンテンツの再生と並行して前記コンテ
ンツの記録を実行する記録再生装置において、記憶媒体から読み出したコンテンツに圧縮
処理を施す圧縮手段と、該圧縮手段で圧縮された圧縮データを記録手段へ書き込む書込手
段と、圧縮データを復元する復元手段と、前記圧縮手段で圧縮された圧縮データを前記復
元手段で復元させて再生させる第１の再生制御手段と、前記記録手段に記憶されている圧
縮データを前記復元手段で復元させて再生させる第２の再生制御手段と、所望の処理を要
求するための入力手段とを備え、該入力手段を介して要求された再生内容に基づいて、前
記第１の再生制御手段又は前記第２の再生制御手段によるコンテンツの再生を行うように
構成されていることを特徴としている。
上記記録再生装置（３１）によれば、圧縮データを採用しているので、過大な一時記憶
領域を必要としない。そのため、もし仮に一時記憶領域を用いたとしても、コストの増大
を抑えることができる。また、前記圧縮手段で圧縮された圧縮データ（すなわち、前記記
録手段に記憶される圧縮データ）を用いてコンテンツ（例えば、音声データ）の再生が行
われる。従って、コンテンツの記録に遅れることなく、コンテンツの再生を行うことがで
きる。これにより、例えば、楽曲再生などの出だしを早くすることができる。
また、本発明に係る記録再生装置（３２）は、コンテンツの再生と並行して前記コンテ
ンツの記録を実行する記録再生装置において、記憶媒体から読み出したコンテンツに圧縮
処理を施す圧縮手段と、圧縮データを復元する復元手段と、前記圧縮手段で圧縮された圧
縮データを前記復元手段で復元させて再生させる再生制御手段と、前記記憶媒体に記憶さ
れているコンテンツ全部の圧縮データを一時的に記憶するための一時記憶手段と、所望の
処理を要求するための入力手段と、該入力手段を介して記録が要求されたコンテンツに対
応する圧縮データを、前記一時記憶手段から読み出して記録手段へ書き込む書込手段とを
備えていることを特徴としている。
上記記録再生装置（３２）によれば、前記圧縮手段で圧縮された圧縮データのうち、前
記入力手段を介して記録が要求されたコンテンツに対応する圧縮データだけを前記記録手
段へ書き込むようにすることができる。また、前記一時記憶手段の容量は大きくなるが、
処理は単純化されるので、処理速度を向上させることができる。
また、本発明に係る記録再生装置（３３）は、コンテンツの再生と並行して前記コンテ
ンツの記録を実行する記録再生装置において、記憶媒体から読み出したコンテンツに圧縮
処理を施す圧縮手段と、圧縮データを復元する復元手段と、前記圧縮手段で圧縮された圧
縮データを前記復元手段で復元させて再生させる再生制御手段と、前記記憶媒体に記憶さ
れているコンテンツ全部の圧縮データを記録手段へ書き込む書込手段と、所望の処理を要
求するための入力手段と、該入力手段を介して記録が要求されなかったコンテンツに対応
する圧縮データを、前記記録手段から削除又は読出不可にする記憶制御手段とを備えてい
ることを特徴としている。
上記記録再生装置（３３）によれば、前記入力手段を介して記録が要求されなかったコ
ンテンツに対応する圧縮データが前記記録手段から削除又は読出不可にされる。これによ
り、前記圧縮手段で圧縮された圧縮データのうち、記録が要求されたコンテンツに対応す
る圧縮データだけを前記記録手段へ残すようにすることができる。また、前記要求は再生
中に限定されないので、残すコンテンツの選択は記録後にも可能となる。
また、本発明に係る記録再生装置（３４）は、コンテンツの再生と並行して前記コンテ
ンツの記録を実行する記録再生装置において、記憶媒体から読み出したコンテンツを記録
手段へ書き込む第１の書込手段と、前記記録手段に記憶されているコンテンツに圧縮処理
を施す圧縮手段と、該圧縮手段で圧縮された圧縮データを前記記録手段へ書き込む第２の
書込手段と、圧縮データを復元する復元手段と、前記記録手段に記憶されている圧縮デー
タを前記復元手段で復元させて再生させる再生制御手段とを備えていることを特徴として
いる。
上記記録再生装置（３４）によれば、前記記憶媒体（例えば、音楽ＣＤ）から読み出し
たコンテンツ（例えば、楽曲データ）が前記記録手段（例えば、ハードディスク）へ書き
込まれ、その後、圧縮処理が施される。従って、圧縮処理を施す前にまず、前記記憶媒体
から読み出したコンテンツを前記記録手段へ書き込むことができる。これにより、前記復
元手段の性能に拘らず高速記録が可能となる。これは、音楽ＣＤなどの記憶媒体を早く解
放したい場合に特に有効となる。
また、本発明に係る記録再生装置（３５）は、コンテンツの再生と並行して前記コンテ
ンツの記録を実行する記録再生装置において、記憶媒体から読み出したコンテンツに圧縮
処理を施す圧縮手段と、該圧縮手段で圧縮された圧縮データを記録手段へ書き込む書込手
段と、圧縮データを一時的に記憶するための一時記憶手段と、前記記録手段に記憶されて
いる圧縮データを前記一時記憶手段に記憶させる記憶制御手段と、圧縮データを復元する
復元手段と、前記一時記憶手段に記憶された圧縮データを前記復元手段で復元させて再生
させる再生制御手段とを備えると共に、前記記憶制御手段が、前記一時記憶手段に記憶さ
れる圧縮データの量を、記憶開始からそれ以降にかけて増やしていくことを特徴としてい
る。
前記記録手段から圧縮データを読み出し、読み出した圧縮データを前記一時記憶手段に
記憶させ、該一時記憶手段に記憶されている圧縮データを復元して再生させる場合、前記
記録手段から読み出す圧縮データの量が多いと、コンテンツの再生開始までに要する時間
が長くなる。
上記記録再生装置（３５）によれば、前記記録手段から読み出されて前記一時記憶手段
に記憶される圧縮データの量が記憶開始からそれ以降にかけて増えていく。従って、記憶
開始直後（すなわち、コンテンツの再生が指示された直後）に前記記録手段から読み出す
圧縮データの量を少なくすることができる。
例えば、１分間分の楽曲データの読み出しに５秒を要する場合（１２倍速）、記憶開始
直後に１分間分の楽曲データを読み出せば、再生開始までに５秒の時間差が生じることに
なるが、記憶開始直後には１分間分でなく、６秒分の楽曲データだけを読み出すようにす
れば、再生開始までの時間差を０．５秒に縮めることができる。これにより、再生の指示
からほとんど時間差無くコンテンツの再生を開始することができる。